(57)【要約】【課題】  商品の陳列及び検品を容易に行うことの可能な商品管理システムを提供する。【解決手段】  ショーケース２００に陳列されている商品１０をコンピュータ１００を用いて管理する商品管理システムにおいて、ショーケース２００には、商品１０を収納したパレット２０を載置可能な商品棚２０１と、商品棚２０１に載置されたパレット２０内の商品１０に付されたＲＦＩＤタグ１１と通信可能に設けられたループアンテナ２１０と、パレット２０が商品棚２０１に載置されると、ループアンテナ２１０を介してＲＦＩＤタグ１１と通信を行いＲＦＩＤタグ１１に記憶された商品情報を読み出すリーダライタ２２０とを備え、コンピュータ１００には、リーダライタ２２０によって読み出されたＲＦＩＤタグ１１の商品情報に基づき商品１０を管理する制御部１１０を備えた。【選択図】  図１
2009050426.tif 000002
【特許請求の範囲】
【請求項１】
ショーケースに陳列されている商品をコンピュータを用いて管理する商品管理システムにおいて、
前記ショーケースは、商品を収納したパレットを載置可能な商品棚と、商品棚に載置されたパレット及び該パレット内の商品の少なくとも一方に付されたＲＦＩＤタグと通信可能に設けられたアンテナと、パレットが商品棚に載置されると、アンテナを介してＲＦＩＤタグと通信を行いＲＦＩＤタグに記憶された商品情報を読み出す読取手段とを備え、
前記コンピュータは、読取手段によって読み出されたＲＦＩＤタグの商品情報に基づき商品を管理する商品管理手段を備えた
ことを特徴とする商品管理システム。
【請求項２】
前記ショーケースは、パレットが商品棚に載置されたことを検知する検知手段を備え、
読取手段は、パレットが商品棚に載置されたことが検知手段によって検知されると、アンテナを介してＲＦＩＤタグと通信を行いＲＦＩＤタグに記憶された商品情報を読み出す
ことを特徴とする請求項１記載の商品管理システム。
【請求項３】
前記アンテナを、パレットの周方向に沿ってパレット内の商品を囲むように設けた
ことを特徴とする請求項１または２記載の商品管理システム。
【請求項４】
前記アンテナを、パレットの開口部と直交する面に設けた
ことを特徴とする請求項１または２記載の商品管理システム。
【請求項５】
前記アンテナをパレットに設け、
パレットにアンテナと読取手段とを接続するための第１のコネクタを設けた
ことを特徴とする請求項１乃至４何れか１項記載の商品管理システム。
【請求項６】
前記パレットに他のパレットのアンテナと読取手段とを接続するための第２のコネクタを設けた
ことを特徴とする請求項５記載の商品管理システム。
【請求項７】
前記商品棚にパレットを着脱可能に保持する保持部材を設け、
前記アンテナを保持部材に設けた
ことを特徴とする請求項１乃至４何れか１項記載の商品管理システム。
【発明の詳細な説明】
【技術分野】
【０００１】
本発明は、例えばスーパーマーケット等の店舗においてショーケースに陳列された商品をコンピュータを用いて管理する商品管理システムに関する。
【背景技術】
【０００２】
従来、この種の商品管理システムとして、商品棚上の商品に付されたＲＦＩＤタグと通信を行うためのアンテナを商品棚に設け、該アンテナを介してＲＦＩＤタグに記憶された商品情報を読み出すことにより商品管理を行うものが知られている（例えば特許文献１参照）。
【０００３】
このような商品管理システムでは、ＲＦＩＤタグを識別するための識別情報が該ＲＦＩＤタグを付した商品と対応付けられた状態で所定の記憶部に予め記憶されており、該記憶部に記憶された識別情報とアンテナを介して読み出された識別情報とを照合することにより該商品の在庫管理を行うようになっている。
【特許文献１】特開２００１−２２５９２１号公報
【発明の開示】
【発明が解決しようとする課題】
【０００４】
ところで、店舗で販売される商品は、一般に複数の商品がパレットに収納された状態で店舗に納品され、検品処理が行われた後にそれぞれ商品棚に陳列される。しかし、従来の商品管理システムでは、店舗の従業員が目視することにより商品の検品処理を行っているので、処理に時間がかかるとともに正確さに欠けるという問題点があった。また、商品を商品棚に陳列する際には、パレットから商品を取り出すという手間のかかる作業が必要となることから、店舗の運用コストが増大するおそれがあった。
【０００５】
本発明は、上記事情に鑑みてなされたものであり、その目的とするところは、商品の陳列及び検品を容易に行うことの可能な商品管理システムを提供することにある。
【課題を解決するための手段】
【０００６】
本発明は、前記目的を達成するために、ショーケースに陳列されている商品をコンピュータを用いて管理する商品管理システムにおいて、前記ショーケースは、商品を収納したパレットを載置可能な商品棚と、商品棚に載置されたパレット及び該パレット内の商品の少なくとも一方に付されたＲＦＩＤタグと通信可能に設けられたアンテナと、パレットが商品棚に載置されると、アンテナを介してＲＦＩＤタグと通信を行いＲＦＩＤタグに記憶された商品情報を読み出す読取手段とを備え、前記コンピュータは、読取手段によって読み出されたＲＦＩＤタグの商品情報に基づき商品を管理する商品管理手段を備えている。
【０００７】
これにより、パレットが商品棚に載置されると、パレット及び該パレット内の商品の少なくとも一方に付されたＲＦＩＤタグの商品情報が検出され、検出されたＲＦＩＤタグの商品情報に基づき商品が管理されるので、商品をパレットから取出すことなく該商品の陳列及び検品を行うことが可能となる。
【発明の効果】
【０００８】
以上説明したように本発明によれば、商品をパレットから取出すことなく該商品の陳列及び検品を行うことができるので、商品の陳列及び検品を極めて容易に行うことができ、商品の陳列及び検品に係る運用コストを低減させることができる。
【発明を実施するための最良の形態】
【０００９】
本発明の第１の実施形態に係る商品管理システムについて図面を参照して説明する。本実施形態の商品管理システムでは、例えば紙パックやペットボトル入りの飲料等の商品を販売する店舗において、ショーケースに陳列された商品の在庫状況や賞味期限をコンピュータを用いて管理するようになっている。
【００１０】
図１に商品管理システムの全体構成図を示す。この商品管理システムは、図１に示すように、店舗に設けた店舗コンピュータ１００により商品１０の在庫状況や賞味期限を管理する。商品１０にはＲＦＩＤタグ１１が貼付されており、ＲＦＩＤタグ１１には、ＲＦＩＤタグ１１の識別情報としての固有番号と、商品１０の賞味期限と、商品１０の価格と、ＪＡＮコード等の商品識別コードとから構成された商品情報が予め記憶されている。なお、上記構成では賞味期限及び価格をＲＦＩＤタグ１１に記憶するようにしたが、これに限られることではなく、賞味期限及び価格を店舗コンピュータ１００に予め記憶させ、必要に応じて読出し可能に構成してもよい。
【００１１】
この商品管理システムでは、店舗内に無線ＬＡＮ９００が構築されている。該無線ＬＡＮ９００には、前記店舗コンピュータ１００のほか、商品１０を冷却した状態で陳列するショーケース２００が接続されている。
【００１２】
まず、ショーケース２００について説明する。ショーケース２００は、図１に示すように、商品１０を陳列するための複数段の商品棚２０１と、商品１０を冷却するための冷却機構とを備えている。冷却機構については従来周知のものと同様なのでここでは説明を省略する。各商品棚２０１には、それぞれ陳列されている商品１０のＲＦＩＤタグ１１と通信するためのループアンテナ２１０が設けられている。また、最下段の商品棚２０１は、複数の商品１０を収納したパレット２０を載置可能に形成されており、該商品棚２０１の上面には、パレット２０の開口部２０ａを前方に向けた状態で、パレット２０を着脱可能に保持する保持枠２０２が設けられている。なお、最下段の商品棚２０１のループアンテナ２１０は、図２に示すように保持枠２０２の周面に沿って前後方向に２つ設けられている。即ち、各アンテナ２０１は、保持枠２０２内において前後方向に重なるように挿入された２つのパレット２０の周方向に沿ってパレット２０内の商品１０を囲むように設けられており、各パレット２０内の商品１０に付されたＲＦＩＤタグ１１と通信可能となっている。
【００１３】
図３にショーケース２００の機能ブロック図を示す。なお、図３は説明の簡略化のため商品管理システムに関するもののみを記載し、冷却機構など他の構成要素は省略した。このショーケース２００は、図３に示すように、各商品棚２０１毎に設けた複数の読取手段としてのリーダライタ２２０と、各リーダライタ２２０と店舗コンピュータ１００との間に介在し各リーダライタ２２０を集中制御する集中制御装置２３０と、パレット２０が商品棚２０１に載置されたことを検知するためのスイッチ２４０とを備えている。
【００１４】
各リーダライタ２２０には、それぞれ対応する商品棚２０１に設けた２つのループアンテナ２１０が接続されている。また、各リーダライタ２２０は、商品１０のＲＦＩＤタグ１１とループアンテナ２１０を介して非接触通信を行うためのＲＦ回路部２２１と、リーダライタ２２０全体を制御する制御部２２２と、集中制御装置２３０に接続するための通信インタフェイス２２３とを備えている。
【００１５】
ＲＦ回路部２２１は、周知のＡＤ／ＤＡ変換器、整流回路及びインピーダンス整合回路等から構成されており、制御部２２２からデジタル信号を受信すると、該デジタル信号をアナログ信号に変換してループアンテナ２１０に送信し、ループアンテナ２１０からアナログ信号を受信すると、該アナログ信号をデジタル信号に変換して制御部２２２に送信する。
【００１６】
制御部２２２は、集中制御装置２３０からのタグ検出要求を受信すると、一方のループアンテナ２１０を用いてＲＦＩＤタグ１１に対して所定の商品情報取得信号を送信することにより該ＲＦＩＤタグ１１に記憶された商品情報を順次取得した後に、同様に他方のループアンテナ２１０を用いてＲＦＩＤタグ１１に記憶された商品情報を順次取得する。そして、制御部２２２は、検出したＲＦＩＤタグ１１の商品情報を、通信インタフェイス２２３を介して集中制御装置２３０に送信する。
【００１７】
集中制御装置２３０は、各リーダライタ２２０から受信したＲＦＩＤタグ１１の商品情報を集計して店舗コンピュータ１００に送信する制御部２３１と、該制御部２３１において集計された商品情報を記憶する記憶部２３２と、各リーダライタ２２０と接続するための通信インタフェイス２３３と、無線ＬＡＮ９００と接続するための通信インタフェイス２３４とを備えている。
【００１８】
制御部２３１は、接続する各リーダライタ２２０に対してタグ検出要求を送信し、各リーダライタ２２０からＲＦＩＤタグ１１の商品情報を受信すると、図４に示すように、送信元のリーダライタ２２０が設置されている商品棚２０１を識別する棚番号とＲＦＩＤタグ１１の商品情報（図では固有番号を「ＵＩＤ」と表示している。）とからなる商品リスト２３２ａを生成する。そして、制御部２３１は、商品リスト２３２ａ及び商品情報の検出日時を通信インタフェイス２３４及び無線ＬＡＮ９００を介して店舗コンピュータ１００に送信する。また、制御部２３１は、最初に生成した商品リスト２３２ａを記憶部２３２に記憶し、在庫リスト２３２ａを生成する毎に記憶部２３２の在庫リスト２３２ａの内容を更新する。
【００１９】
スイッチ２４０は、保持枠２０２の内部に設けられており、保持枠２０２内に挿入されたパレット２０によって押下されると、集中制御装置２３０の制御部２３１に所定の検知信号を送信するようになっている。なお、パレット２０が商品棚２０１に載置されたことを検知する手段として、他に赤外線センサや重量センサ等を用いることができる。
【００２０】
次に、店舗コンピュータ１００について図５を参照して説明する。図５は店舗コンピュータ１００の機能ブロック図である。店舗コンピュータ１００は、図５に示すように、店舗コンピュータ１００全体を制御する制御部１１０と、種々の情報を記憶するリレーショナル型のデータベース１２０と、無線ＬＡＮ９００に接続するための通信インタフェイス１３０とを備えている。
【００２１】
制御部１１０は、ショーケース２００から送信された商品リスト２３２ａ及び商品情報の検出日時を通信インタフェイス１３０を介して受信すると、データベース１２０の各種情報の読取・更新処理を行う。この場合、商品リスト２３２ａ及び商品情報の検出日時が所定時間毎にショーケース２００から送信されることから、制御部１１０は、商品情報の経時的検出状況に基づき商品１０の在庫状況や賞味期限までの残り時間を判別することが可能となる。なお、制御部１１０の詳細な動作については後述する。
【００２２】
データベース１２０に記憶されているデータについて説明する。データベース１２０には、図６に示す商品発注情報１２１、図７に示す商品管理情報１２２、図８に示す棚在庫情報１２２が記憶されている。
【００２３】
商品発注情報１２１は、図６に示すように、商品１０のＪＡＮコードと、該商品１０の発注数を記録している。なお、商品１０の商品名も商品発注情報１２１に記録するようにしてもよい。この商品発注情報１２１は、商品発注時に更新されるようになっている。
【００２４】
商品管理情報１２２は、図７に示すように、ＲＦＩＤタグ１１の固有情報と、該固有情報に対応する商品１０のＪＡＮコードと、該固有情報に対応する商品１０の賞味期限と、当該商品１０の販売価格とを記録している。本実施形態では、期限情報として商品１０の賞味期限を用いているが、商品１０の消費期限または販売期限等を用いてもよい。また、商品１０の商品名も商品管理情報１２２に記録するようにしてもよい。この商品管理情報１２２は、ショーケース２００から商品リスト２３２ａが送信されたときに更新されるようになっている。
【００２５】
棚在庫情報１２３は、各商品棚２０１上の商品１０の在庫状況を記憶したものであり、図８に示すように、ＲＦＩＤタグ１１の固有番号と、固有番号を初めて取得した日時（初回検知日時）と、固有番号を取得した最新の日時（最新検知日時）とを記憶している。これらの情報は、商品リスト２３２ａ及び商品情報の検出日時に基づき更新されるようになっている。具体的に説明すると、商品１０が商品棚２０１に陳列されている場合、即ち商品１０に付されたＲＦＩＤタグ１１の固有番号が商品リスト２３２ａに含まれている場合には、在庫リスト２３２ａとともに送信された該固有番号の検出日時が最新検知日時として更新される。また、商品１０のＲＦＩＤタグ１１とリーダライタ２２０との間の通信が不能となった場合、例えば商品１０が商品棚２０１から取り出された場合には、ＲＦＩＤタグ１１の固有番号が商品リスト２３２ａに含まれなくなることから、該固有番号の最新検知日時が更新されなくなる。なお、商品棚２０１から一旦取り出された商品１０が商品棚２０１に戻されると、該商品１０に付されたＲＦＩＤタグ１１の固有番号がリーダライタ２２０によって検出可能になることから、該固有番号の最新検知日時が再び更新されるようになる。
【００２６】
以上のように構成された商品管理システムでは、店舗コンピュータ１００の制御部１１０が、商品棚２０１上の商品１０に付されたＲＦＩＤタグ１１の商品情報に基づき該商品１０の検品処理を行うとともに在庫情報や賞味期限を管理するようになっている。
【００２７】
ここで、商品１０の検品処理を行う場合及び在庫情報や賞味期限を管理する場合におけるショーケース２００及び店舗コンピュータ１００の動作を図９及び図１０を参照して説明する。
【００２８】
まずショーケース２００の動作について説明する。まず、保持枠２０２にパレット２０が挿入されることによりスイッチ２４０が押下され、スイッチ２４０から検知信号が送信されると（図９のステップＳ１）、集中制御装置２３０の制御部２３１は、各リーダライタ２２０に対してデータ送信を順次要求し、各リーダライタ２２０からＲＦＩＤタグ１１の商品情報を受信することにより、ＲＦＩＤタグ１１の商品情報を検出する（図９のステップＳ２）。また、制御部２３１は、商品情報を検出した後に商品リスト２３２ａを生成し（図９のステップＳ３）、商品情報の検出日時及び商品リスト２３２ａを、通信インタフェイス２３４及び無線ＬＡＮ９００を介して店舗コンピュータ１００に送信する（図９のステップＳ４）。そして、制御部２３１は、所定時間（例えば１分）が経過する毎に（図９のステップＳ５）、ステップＳ２以降の処理を繰り返し行う。
【００２９】
一方、店舗コンピュータ１００の制御部１１０は、ショーケース２００から送信された商品情報の検出日時及び商品リスト２３２ａを無線ＬＡＮ９００及び通信インタフェイス１３０を介して受信すると（図１０のステップＳ１１）、商品リスト２３２ａ及び商品発注情報１２１を用いて商品１０の検品処理を行う（図１０のステップＳ１２）。具体的には、制御部１１０は、商品リスト２３２ａのＪＡＮコードと商品発注情報１２１のＪＡＮコードとの照合を行い、該ＪＡＮコードに対応する商品１０の個数が互いに等しいか否か、または商品発注情報１２１に含まれていないＪＡＮコードが商品リスト２３２ａから新たに抽出されたか否かを判別する。そして、商品１０の個数が互いに一致しない場合または商品発注情報１２１に含まれていないＪＡＮコードが抽出された場合には、制御部１１０は、所定の異常メッセージを通知する。メッセージの通知手段は種々のものが選択でき、例えば、店舗コンピュータ１００の画面上に表示するようにしてもよいし、管理者の携帯電話に携帯電話網を介してメールを送信するようにしてもよい。
【００３０】
次に、制御部１１０は、商品リスト２３２ａ及び商品情報の検出時間を用いて商品管理情報１２２及び棚在庫情報１２３の更新処理を行う（図１０のステップＳ１３，Ｓ１４）。この場合、制御部１１０は、商品管理情報１２２及び棚在庫情報１２３に基づき商品１０の在庫管理及び賞味期限管理を行うことができる。商品１０の在庫管理について説明すると、制御部１１０は、棚在庫情報１２３をショーケース２００毎に集計することにより在庫数を算出し、該在庫数と所定の最低在庫数とを比較判定する。そして、在庫数が最低在庫数以下である場合には、制御部１１０は、上記ステップＳ１２と同様に異常メッセージを通知する。また、商品１０の賞味期限管理について説明すると、制御部１１０は、棚在庫情報１２３の最終検知日時が商品管理情報１２２内の賞味期限まで所定時間（例えば１時間）に迫った固有番号を抽出する。そして、制御部１１０は、該固有番号が抽出されると、上記ステップＳ１２と同様に異常メッセージを通知する。
【００３１】
このように本実施の形態に係る商品管理システムによれば、パレット２０が商品棚２０１に載置されると、パレット２０内の商品１０に付されたＲＦＩＤタグ１１の商品情報が検出され、検出されたＲＦＩＤタグ１１の商品情報に基づき商品１０が管理されるので、商品１０をパレット２０から取出すことなく該商品１０の陳列及び検品を行うことができる。従って、商品１０の陳列及び検品を極めて容易に行うことができ、商品１０の陳列及び検品に係る運用コストを低減させることができる。
【００３２】
また、ショーケース２００は、パレット２０が商品棚２０１に載置されたことを検知するスイッチ２４０を備え、リーダライタ２２０は、パレット２０が商品棚２０１に載置されたことがスイッチ２４０によって検知されると、ループアンテナ２１０を介してＲＦＩＤタグ１１と通信を行いＲＦＩＤタグ１１に記憶された商品情報を読み出すので、商品１０が商品棚２０１に載置されたことを確実に検知することができ、商品１０の陳列及び検品を確実に行うことができる。
【００３３】
さらに、ループアンテナ２１０をパレット２０内の商品１０の周囲を囲むように設けたので、商品１０に付されたＲＦＩＤタグ１１を磁界内に配置することができ、ＲＦＩＤタグ１１の商品情報を確実に読み取ることができる。
【００３４】
さらにまた、商品棚２０１にパレット２０を着脱可能に保持する保持枠２０２を設け、ループアンテナ２１０を保持枠２０２に設けたので、パレット２０内の商品１０に付されたＲＦＩＤタグ１１が、パレット２０の移動に伴ってループアンテナ２１０と通信可能な範囲外に移動するのを確実に防止することができる。
【００３５】
なお、前記実施形態では、ループアンテナ２１０をパレット２０内の商品１０の周囲を囲むように設けたものを示したが、パレット２０の開口部２０ａと直交する面に設けるようにしてもよい。即ち、ループアンテナ２１０を、図１１に示すように保持枠２０２の上面や、図１２に示すように左右側面に設けることにより、保持枠２０２内のパレット２０と隣接するように配置された他のパレット２０´内の商品１０´のＲＦＩＤタグ１１´と該ループアンテナ２１０を介して通信することができる。従って、一つのループアンテナ２１０で通信可能なＲＦＩＤタグ１１の数を増加させることができ、ショーケース２００に設けられるループアンテナ２１０の総数を削減してショーケース２００の製造コストを低減させることができる。
【００３６】
以下に、本発明の第２の実施形態に係る商品管理システムについて説明する。本実施形態が第１の実施形態と異なる点は、図１３に示すように、パレット３０にループアンテナ２１０を設けるとともに、該パレット３０にループアンテナ２１０とリーダライタ２２０とを接続するための第１のコネクタとしての下面コネクタ３２を設け、該パレット３０に他のパレット３０´のループアンテナ２１０とリーダライタ２２０とを接続するための第２のコネクタとしての上面コネクタ３１を設けた点にある。他の構成及び動作については第１の実施形態と同様なので、ここでは相違点のみを説明する。
【００３７】
図１３及び図１４を参照して本実施形態のパレット３０について説明する。図１３はパレットの外観図である。パレット３０は、図１３に示すように上面に開口部３０ａを有した箱型形状をなしている。また、パレット３０の上面の四隅には、凹型形状をなす上面コネクタ３１が設けられており、パレット３０の下面の四隅には、下方に突出するように形成された下面コネクタ３２が設けられている。上面コネクタ３１と下面コネクタとは、図１４に示すように切替制御部３３を介して互いに接続されており、切替制御部３３には、図１３に示すようにパレット３０の外周に沿うように設けられたループアンテナ２１０がインピーダンス整合回路３４を介して接続されている。
【００３８】
上面コネクタ３１は、他のパレット３０´の下面コネクタ３２と嵌合可能に形成されており、他のパレット３０´の下面コネクタ３２を上面コネクタ３１に嵌合させることによりパレット３０と他のパレット３０´を上下方向に積み重ねることができるようになっている。また、積み重ねられた各パレット３０，３０´のうち最下部に位置するパレット３０の下面コネクタ３２は、商品棚２０１上に設けられたコネクタ（図示省略）を介してリーダライタ２２０に接続されている。即ち、リーダライタ２２０から送信された信号がパレット３０を介して他のパレット３０´のループアンテナ２１０に伝わるようになっている。
【００３９】
切替制御部３３は、自身の識別番号を記憶した記憶部又は自身の識別番号を設定するスイッチ等の設定手段を備えており、下面コネクタ３２を介してリーダライタ２２０から受信した後述のアンテナ切替用の制御信号に自身の識別番号が含まれている場合には、切替制御部３３に接続された整合回路３４に対してリーダライタ２２０の送信信号を送信する。また、アンテナ切替用の制御信号に自身の識別番号が含まれていない場合には、上面コネクタ３１を介して他のパレット３０´にアンテナ切替用の制御信号、インピーダンス調整用の制御信号及び商品情報取得信号を送信する。
【００４０】
整合回路３４は、所定のインピーダンス素子とトランジスタやリレースイッチ等のスイッチ素子との直列回路を１つ又は複数設けたものからなり、インピーダンス調整用の制御信号に基づきスイッチ素子のオン・オフを切替えることにより定数を切替えることができるようになっている。なお、インピーダンス調整方法については出願人が提案した特願２００７−７８８７４号記載の技術を用いることも可能である。
【００４１】
本実施形態のリーダライタ２２０は、第１の実施形態において説明した制御部２２２及び通信インタフェイス２２３のほか、通信回路部２２４を備えている。制御部２２３は、集中制御装置２３０からのタグ検出要求を受信すると、インピーダンス調整用の制御信号、アンテナ切替制御用の制御信号及び商品情報取得信号を生成し、通信回路部２２４に送信する。アンテナ切替制御用の制御信号には、各パレット３０，３０´の切替制御部３３の識別番号が含まれており、１つのタグ検出要求につき切替制御部３３の識別番号を順次切替えた状態で各信号を送信することにより、各パレット３０，３０´の商品１０のＲＦＩＤタグ１１に記憶された商品情報を取得することができる。
【００４２】
通信回路部２２４は、周知の混合器等から構成されており、制御部２２３から受信した商品情報取得信号にインピーダンス調整用の制御信号及びアンテナ切替制御用の制御信号を重畳させたものをパレット３０に送信する。
【００４３】
このように、本実施形態の商品管理システムによれば、ループアンテナ２１０をパレット３０に設け、パレット３０にループアンテナ２１０とリーダライタ２２０とを接続するための下面コネクタ３２を設けたので、パレット３０を商品棚２０１に載置するだけでパレット３０内の商品１０に付されたＲＦＩＤ１１の商品情報を読み出すことができる。従って、商品１０の陳列及び検品を極めて容易に行うことができ、商品の陳列及び検品に係る運用コストを低減させることができる。
【００４４】
また、パレット３０に他のパレット３０´のループアンテナ２１０とリーダライタ２２０とを接続するための上面コネクタ３１を設けたので、複数のパレット３０，３０´で１つのリーダライタ２００を共用することができ、製造コストを低減することができる。
【００４５】
なお、上記実施形態は本発明の具体例に過ぎず、本発明が上記実施形態のみに限定されることはない。例えば、ＲＦＩＤタグ１１を商品１０ではなくパレット２０，３０に付すようにしてもよい。この場合、ＲＦＩＤタグ１１にはパレット２０，３０内の全商品１０の商品情報が記憶されており、該ＲＦＩＤタグ１１から１回の読出し処理を行うだけで１つのパレット２０，３０内の全商品１０の商品情報を取得することができる。
【図面の簡単な説明】
【００４６】
【図１】本発明の第１の実施形態を示す商品管理システムの構成図
【図２】保持枠の外観図
【図３】ショーケースの機能ブロック図
【図４】商品リストの一例を示す図
【図５】店舗コンピュータの機能ブロック図
【図６】商品発注情報の一例を示す図
【図７】商品管理情報の一例を示す図
【図８】棚在庫情報の一例を示す図
【図９】ショーケースの動作を示すフロー図
【図１０】店舗コンピュータの動作を示すフロー図
【図１１】アンテナの配置位置の変形例を示す図
【図１２】アンテナの配置位置の変形例を示す図
【図１３】本発明の第２の実施形態を示すパレットの外観図
【図１４】リーダライタ及びパレットの機能ブロック図
【符号の説明】
【００４７】
１０…商品、１１…ＲＦＩＤタグ、２０，３０…パレット、２０ａ，３０ａ…開口部、３１…上面コネクタ、３２…下面コネクタ、１００…店舗コンピュータ、１１０…制御部、１２０…データベース、１２１…商品情報、２００…ショーケース、２０１…商品棚、２０２…保持枠、２１０…ループアンテナ、２２０…リーダライタ、２３２ａ…在庫リスト
【図１】
2009050426.tif 000003
【図２】
2009050426.tif 000004
【図３】
2009050426.tif 000005
【図４】
2009050426.tif 000006
【図５】
2009050426.tif 000007
【図６】
2009050426.tif 000008
【図７】
2009050426.tif 000009
【図８】
2009050426.tif 000010
【図９】
2009050426.tif 000011
【図１０】
2009050426.tif 000012
【図１１】
2009050426.tif 000013
【図１２】
2009050426.tif 000014
【図１３】
2009050426.tif 000015
【図１４】
2009050426.tif 000016